(57)【要約】      （修正有）【課題】防水性を有する防水性袋状物を提供する。【解決手段】把手２、天マチ４、前見頃５、後見頃６、横マチ７、底マチ８、の素材として、表裏層に布地を中間層には防水性の発泡ゴムを配したシート部材を用いる。防水性袋状物１本体の開閉口に防水性ファスナー３をミシンで縫合し、天マチ裏側のミシン目に接着剤を塗布、更にミシン目を覆う様に裏当てを接着貼付けする。さらに前見頃、後見頃、横マチ、天マチ、底マチ、との接合部で接着を要する箇所に接着剤を塗り、突き合わせて接合する。接着剤乾燥後、接着箇所は掬い縫いで縫合し、防水性袋状物１を形成する。掬い縫いで縫合することで接合強度を高め、更に接合部を跨ぐ様に、表層の布地と中間層の発泡ゴムを縫合しているので、内側にミシン目が出来ず、防水性が高い。【選択図】図１
0003201947.tif 000002
【実用新案登録請求の範囲】
【請求項１】
防水性を有する第１シート部材と第２シート部材とを備えた防水性袋状物であって、
前記第１シート部材と前記第２シート部材とが接着剤を用いて突き合わされた接合部が形成されていると共に、該接合部が掬い縫いで縫合されていることを特徴とする防水性袋状物。
【請求項２】
前記第１シート部材及び前記第２シート部材は、
防水性発泡ゴムと、
前記防水性発泡ゴムの一方の側の面に貼付された布地と、を有することを特徴とする請求項１に記載の防水性袋状物。
【請求項３】
前記防水性発泡ゴムが、クロロプレンゴムであることを特徴とする請求項１又は請求項２に記載の防水性袋状物。
【請求項４】
前記第１シート部材に切込みが形成され、
前記切込みに沿って前記第１シート部材に縫合された防水性ファスナーと、
前記防水性ファスナーが縫合された部分を裏側から覆うように貼付された裏当てと、を更に備えたことを特徴とする請求項１乃至３のいずれか１項に記載の防水性袋状物。
【考案の詳細な説明】
【技術分野】
【０００１】  本考案は、防水性袋状物に関する。
【背景技術】
【０００２】  バッグには、ナイロン及びポリエステル等の防水性の合成樹脂などの素材を使用して形成している物が多く、そのほとんどは簡易防水性機能程度である。
より防水性を高めた技術として特許文献１で提案されている原材料となるシート部材は、一般材料でなく、また防水性については示されていない。
ウェットスーツ素材を使用した特許文献２は伸縮性を向上させた肩掛けバッグ、携帯入れ等の例が示されているが、防水性を考慮したものではない。
【先行技術文献】
【特許文献】
【０００３】
【特許文献１】特許第４６０４１３０号公報
【特許文献２】実用新案登録第３０９１５８１号公報
【考案の概要】
【考案が解決しようとする課題】
【０００４】  バッグにはナイロン、ポリエステル等の素材として利用されることが多いが、実用面からも風雨時、水場付近での使用時に水の侵入を防ぎ、バッグの中にパソコン、スマホ等の機器物を入れても壊れにくく保護材として、防水性、かつ弾力性に富むものは困難であった。また特許文献１での参考材料が一般的部材でなかった。【０００５】  本考案は、防水性を有する防水性袋状物を提供することを目的とする。
【課題を解決するための手段】
【０００６】  前記目的に沿う本考案に係る防水性袋状物は、防水性を有する第１シート部材と第２シート部材とを備えた防水性袋状物であって、
前記第１シート部材と前記第２シート部材とが接着剤を用いて突き合わされ接合部が形成されていると共に、該接合部が掬い縫いで縫合されていることを特徴とする。【０００７】  本考案に係る防水性袋状物において、前記第１シート部材及び前記第２シート部材は、
防水性発泡ゴムと、
前記防水性発泡ゴムの一方の側の面に貼付された布地と、を有することが好ましい。【０００８】  本考案に係る防水性袋状物において、前記防水性発泡ゴムが、クロロプレンゴムであることが好ましい。【０００９】  本考案に係る防水性袋状物において、前記第１シート部材に切込みが形成され、
前記切込みに沿って前記第１シート部材に縫合された防水性ファスナーと、
前記防水性ファスナーが縫合された部分を裏側から覆うように貼付された裏当てと、を更に備えていてもよい。
【考案の効果】
【００１０】  本考案によれば、防水性を有する防水性袋状物を提供できる。
【図面の簡単な説明】
【００１１】
【図１】本考案の一実施の形態に係る防水性袋状物に係る実施例の斜視図である。
【図２】同防水性袋状物の前身頃及び天マチの断面図である。
【図３】同防水性袋状物の開閉口となる開閉部の断面図である。
【図４】同防水性袋状物の分解図である。
【図５】同防水性袋状物の接合箇所状態を示す断面図である。
【考案を実施するための形態】
【００１２】  本考案の実施の形態に係る防水性袋状物１は、例えば、リュックサック、ウエストポーチ、鞄等の袋状物であり、防水性を有している。
防水性袋状物１は、図１及び図４に示すように、天マチ（第１のシート部材の一例）４、前身頃（第２のシート部材の一例）５、後見頃６、底マチ８、横マチ７、及び把手２を備えている。
前身頃５と天マチ４とは、各端面が突き合わされ、接着剤を用いて接合されている。更に、この接合部の表面側は、掬い縫い１７により縫合されている。接合部が掬い縫い１７により縫合されることで接合部が補強され、強度が向上する。
【００１３】  前身頃５及び天マチ４は、図２に示すように、それぞれ、防水性発泡ゴム１０と、防水性発泡ゴムの両面に貼付された布地９と、によって少なくとも構成されている。
防水性発砲ゴム１０は、例えば、防水性を有するクロロプレンゴムである。
布地９は、例えば、合成繊維であり、水との親和性が少ない繊維であることが好ましい。
【００１４】  天マチ４には、図３に示す防水性ファスナー３及び裏当て１２を備えた開閉部が形成されている。
防水性ファスナー３は、ファスナー引手１３及びファスナーテープ１４を有している。
防水性ファスナー３のファスナーテープ１４は、天マチ４に形成された切込みに沿って、天マチ４に縫合１５されている。
裏当て１２は、ファスナーテープ１４が縫合１５された部分が裏側から覆うように配置され、例えば接着剤１６を用いて天マチ４及びファスナーテープ１４に貼付されている。接着剤１６は、クロロプレンゴム系の接着剤が好ましい。
裏当て１２が天マチ４とファスナーテープ１４の境目を覆うように貼付されていることにより、この境目に侵入した水分が染み出すことが抑制され、防水性が高められる。
なお、接着剤１６を用いて裏当て１２を貼付することに代えて、加熱することにより接着されるテープ状の裏当てを用いてもよい。また、裏当て１２は、天マチ４及び前身頃５同様、防水性発泡ゴム１０と、防水性発泡ゴムの両面に貼付された布地９と、によって少なくとも構成されていてもよい。
【００１５】  隣り合う後見頃６、底マチ８、及び横マチ７についても、前述の天マチ４及び前身頃５と同様に接合されている。
また、防水性ファスナー３及び裏当て１２を備えた開閉部が形成されている箇所は、天マチ４に限定されず、前身頃５、後見頃６、底マチ８、又は横マチ７に形成されていてもよい。
【００１６】  次に、防水性袋状物１の製造方法について説明する。防水性袋状物１は、以下のステップに従って製造される。
（ステップＳ１）
厚み３ｍｍのクロロプレンゴムを準備する。このクロロプレンゴムを裁断し、天マチ４、前身頃５、後見頃６、横マチ７、底マチ８、及び把手２の各パーツを形成する。
【００１７】（ステップＳ２）
天マチ４に、開閉口となる切込みを入れる。
切込みにそって防水性ファスナー３を配置し、ファスナーテープ１４をミシンで縫合１５する。
【００１８】（ステップＳ３）
天マチ４及びファスナーテープ１４の裏当て１２が接触する接触面に、接着剤１６を塗り、そのままの状態で乾燥させる。
一方で裏当てにも接着剤を塗り、そのままの状態で乾燥させる。
【００１９】（ステップＳ４）
天マチ４及びファスナーテープ１４の裏当て１２が接触する接触面並びに裏当て１２に、それぞれ接着剤１６を塗布する。接触面と裏当てとを接着する。
【００２０】（ステップＳ５）
把手２を前身頃５及び後見頃６に突き合わせて接合する端部に、接着剤を塗り接着する。
接着剤が乾燥した後、接合箇所をミシンで縫合し、把手を取り付ける。
縫合箇所の裏側から裏当てを接着し、前述の開閉部同様、防水性を高める。
【００２１】（ステップＳ６）
天マチ４、前身頃５、後見頃６、横マチ７、及び底マチ８の各突き合わせて接合を要する端部に接着剤を塗り、各パーツを接着する。
接着剤が乾燥した後、接合箇所の表面側を掬い縫い１７で縫合する。
このように、接合箇所が掬い縫い１７により縫合されるので、接合強度が向上する。更に、掬い縫い１７は接合部２０を跨ぐ様に、各パーツの表層の布地１８と中間層の発泡ゴム１０を縫合され、掬い縫い１７の箇所は防水性袋状物１の内側にミシン目ができないので、防水性も高められる。
【符号の説明】
【００２２】１：防水性袋状物、２：把手、３：防水性ファスナー、４：天マチ、５：前見頃、６：後見頃、７：横マチ、８：底マチ、９：布地、１０：発泡ゴム、１１：シート部材、１２：裏当て、１３：ファスナー引手、１４：ファスナーテープ、１５：縫合、１６：接着剤、１７：掬い縫い、１８：表層布地、１９：裏層布地、２０、接合部
【図１】
0003201947.tif 000003
【図２】
0003201947.tif 000004
【図３】
0003201947.tif 000005
【図４】
0003201947.tif 000006
【図５】
0003201947.tif 000007
【手続補正書】
【提出日】平成27年10月16日(2015.10.16)
【手続補正１】
【補正対象書類名】実用新案登録請求の範囲
【補正対象項目名】全文
【補正方法】変更
【補正の内容】
【実用新案登録請求の範囲】
【請求項１】
防水性を有する第１シート部材と第２シート部材とを備えた防水性袋状物であって、
前記第１シート部材と前記第２シート部材とが接着剤を用いて突き合わされた接合部が形成されていると共に、該接合部が掬い縫いで縫合されていることを特徴とする防水性袋状物。
【請求項２】
前記第１シート部材及び前記第２シート部材は、
防水性発泡ゴムと、
前記防水性発泡ゴムの一方の側の面に貼付された布地と、を有することを特徴とする請求項１に記載の防水性袋状物。
【請求項３】
前記防水性発泡ゴムが、クロロプレンゴムであることを特徴とする請求項２に記載の防水性袋状物。
【請求項４】
前記第１シート部材に切込みが形成され、
前記切込みに沿って前記第１シート部材に縫合された防水性ファスナーと、
前記防水性ファスナーが縫合された部分を裏側から覆うように貼付された裏当てと、を更に備えたことを特徴とする請求項１乃至３のいずれか１項に記載の防水性袋状物。